(57)【特許請求の範囲】
【請求項１】
便器と、手洗い手段と、手洗い手段から流出した水を便器洗浄水として貯えるロータンクと、少なくとも圧縮機と凝縮器と膨張弁と蒸発器を有する空調手段とを備え、空調手段は少なくとも凝縮器を除いてユニット化した空調ユニットを有し、かつ凝縮器をロータンク内に配置し、ロータンクの上部に空調ユニットまたは手洗い手段を配置しうるように構成するとともに、空調ユニットの上部に手洗い手段を配置しうるように構成したトイレ装置であって、
空調ユニットに、ロータンク内の給水手段と手洗い手段とを接続する給水通路を配設するとともに、手洗い手段とロータンクとを接続する排水通路を配設し、かつ、ロータンクの上部に手洗い手段を配置したとき、ロータンク内の給水手段と手洗い手段の水路とが接続されるとともに、手洗い手段の流出口がロータンクに接続されるように構成したことを特徴とするトイレ装置。
【請求項２】
排水通路の下端に手洗い手段から流出した水を凝縮器に散布する散水手段を接続したことを特徴とする請求項１記載のトイレ装置。
【請求項３】
凝縮器をロータンク内に配置するのに代えて空調ユニット内に内蔵させ、給水通路と排水通路を流れる水で凝縮器を冷却するようにしたことを特徴とする請求項１記載のトイレ装置。
【請求項４】
便器と、便器洗浄水を貯えるロータンクと、少なくとも圧縮機と凝縮器と膨張弁と蒸発器を有する空調手段とを備え、空調手段は少なくとも凝縮器を除いてユニット化した空調ユニットを有し、空調ユニットには、この空調ユニットに電源、制御用信号を送るための接続部が設けられ、ロータンクの上面には空調ユニットをその上に設置したときに接続部が離脱可能に接続される接続部が設けられていることを特徴とするトイレ装置。
【発明の詳細な説明】
【０００１】
【発明の属する技術分野】
本発明はトイレ装置に関し、特に空調手段を備えたトイレ装置に関するものである。
【０００２】
【従来の技術】
従来から、ロータンク式のトイレ装置において、ロータンクの上部に手洗い手段を一体的に配設してロータンクに貯める洗浄水を手洗い手段から供給するようにし、手洗いに洗浄水を利用して節水を図ったものが知られている。
【０００３】
また、トイレ装置に空調手段を設けたものは、例えば特公昭６１−３８９７４号公報（特開昭５８−２６９４１号公報）や実開昭５８−１５５５２３号公報等に開示されている。その空調手段においては、便器の洗浄水を貯めるタンクの水と凝縮器が熱交換するようにしたものや、タンク中の高温になった洗浄水を便器に排出するようにしたものが開示されている。
【０００４】
この種の空調手段を備えた温水洗浄便座付きのトイレ装置の構成例を、図４を参照して説明すると、１は便器、２はその便槽であり、便器１上に温水洗浄便座３が設置されている。この温水洗浄便座３の本体部４に便器の洗浄水を収容するロータンクが一体的に内蔵されている。温水洗浄便座３は、便座５とその上を覆う便蓋６を備え、それぞれ便器１上に設置された水平姿勢と本体部４前面に沿うように立てた起立姿勢との間で上下回動可能に構成されている。７は便槽２内の後部に出退可能に配設された洗浄ノズルである。
【０００５】
本体部４内の下部にはロータンク８が配設され、その底面に便器１内に向けて洗浄水を排出する排水弁９が設けられている。この排水弁９は本体部４の上部一側外面に配設された排水コック１０を操作することによって開弁するように連動手段１１と連結されている。また、ロータンク８の側部には比較的小容量の温水洗浄用タンク１２が配設されている。この温水洗浄用タンク１２内にはヒータ（図示せず）と温度検出器（図示せず）が配設されて収容されている洗浄水を４０℃程度の一定温度に加熱・保温し、所要時にこの洗浄水を洗浄ノズル７に向けて圧送するように構成されている。
【０００６】
そして、この本体部４内の上部には空調手段１３が配設されている。ただし、冷房時の凝縮器１４はロータンク８内に浸漬配置され、洗浄水と熱交換するように構成されている。ロータンク８の上部にはキャピラリチューブなどから成る膨張弁１５、その上部の冷房時の蒸発器１６と圧縮機１７が配設され、これらが冷媒配管１８にて順次接続されている。蒸発器１６は上端部が本体部４の上端部前面に配設された送風口２０に接続された風洞１９内に配設されており、送風口２０の背部には送風ファン２１が配設されている。なお、空気吸込口（図示せず）が本体部４の両側面や背面側に形成され、脱臭フィルタ（図示せず）が配設されている。また、蒸発器１６の下部にはドレイン受け２２が配設され、溜まったドレインをロータンク８内に排出する排水パイプが設けられている。
【０００７】
【発明が解決しようとする課題】
しかしながら、図４のような構成のトイレ装置では、ロータンク８と空調手段１３が本体部４内に渾然一体として配設されているので、その本体部４は空調手段１３を有するトレイ装置に専用のものとなり、空調手段１３を設けないトイレ装置におけるロータンクと規格を共通化できず、その分コスト高になるという問題があった。
【０００８】
また、既存のトイレ装置に冷房装置を組み付けることが困難であり、トイレを冷房しようとすると、このような高価なトイレ装置を新たに設置する必要があり、大変な費用がかかるという問題があった。
【０００９】
更に、ロータンク８を配設した本体部４の上部に手洗い手段を配設することも考えられるが、その場合にも配設したものと配設しないものが別の規格となり、コスト高になるという問題がある。
【００１０】
本発明は、上記従来の問題点に鑑み、手洗い手段と空調手段を簡単に設置することができるとともに、設置しないものとの間で規格を共通化できるトイレ装置を提供することを目的としている。
【００１１】
【課題を解決するための手段】
本発明のトイレ装置は、便器と、手洗い手段と、手洗い手段から流出した水を便器洗浄水として貯えるロータンクと、少なくとも圧縮機と凝縮器と膨張弁と蒸発器を有する空調手段とを備え、空調手段は少なくとも凝縮器を除いてユニット化した空調ユニットを有し、かつ凝縮器をロータンク内に配置し、ロータンクの上部に空調ユニットまたは手洗い手段を配置しうるように構成するとともに、空調ユニットの上部に手洗い手段を配置しうるように構成したトイレ装置であって、空調ユニットに、ロータンク内の給水手段と手洗い手段とを接続する給水通路を配設するとともに、手洗い手段とロータンクとを接続する排水通路を配設し、かつ、ロータンクの上部に手洗い手段を配置したとき、ロータンク内の給水手段と手洗い手段の水路とが接続されるとともに、手洗い手段の流出口がロータンクに接続されるように構成したことを特徴とする。
【００１２】
本発明によれば、空調ユニットをロータンク上に設置し、凝縮器をロータンク内に配置することで簡単に空調手段を設置することができ、またその空調ユニット上に手洗い手段を配置することで手洗い手段を設置することができ、空調手段や手洗い手段を簡単に設置することができるとともに、設置しないものとの間で規格を共通化することができ、コスト低下を図ることができる。また、手洗い手段を設けるときに空調ユニットを通して配管する必要がなくなり、手洗い手段の設置作業を簡単にできる。
【００１３】
また、排水通路の下端に手洗い手段から流出した水を凝縮器に散布する散水手段を接続すると、ロータンクから洗浄水を排出した後にも、直ちに手洗い手段から流出した水が凝縮器に散布されて冷却作用が中断せず、空調手段の作用を安定的に継続することができる。
【００１４】
また、凝縮器をロータンク内に配置するのに代えて空調ユニット内に内蔵させ、給水通路と排水通路を流れる水で凝縮器を冷却するようにすることもでき、手洗い手段を有するロータンクに空調手段を簡単に設置することができる。
【００１５】
また、空調ユニットに、この空調ユニットに電源、制御用信号を送るための接続部を設け、ロータンクの上面に空調ユニットをその上に設置したときに接続部が離脱可能に接続される接続部を設けると、ロータンク上に空調ユニットをワンタッチで取付けることができ、空調手段への電気配線等が不要となり、空調ユニットの取付作業が極めて簡単になる。これは、空調ユニットの上に手洗い手段を配設しない場合にも同じ効果が得られる。
【００１６】
【発明の実施の形態】
以下、本発明のトイレ装置の一実施形態について図１、図２を参照して説明する。なお、トイレ装置の便器の構成及び本実施形態における各構成要素の具体構成は図４を参照して説明した従来例とほぼ同一であり、ここでは概略配置構成のみを説明する。
【００１７】
図１、図２において、３１は便器（図示せず）の後部に配設されたロータンクであり、図２に示すように便器上に設置される温水洗浄便座の本体部４と一体構成のものであっても、単独のロータンクであっても良い。ロータンク３１の上部には空調ユニット３２が配設され、この空調ユニット３２の上部に手洗い手段３３が配設されている。
【００１８】
空調ユニット３２は、空調手段４０を構成する圧縮機３４と凝縮器３５とキャピラリチューブなどから成る膨張弁３６と蒸発器３７の内、凝縮器３５を除いた構成要素を空調筐体３８内に配置してユニット化して構成されている。凝縮器３５はロータンク３１内の底部に浸漬配設され、洗浄水と熱交換するように構成されている。３９は、膨張弁３６と蒸発器３７と圧縮機３４を順次接続し、さらに空調ユニット３２から延出されて凝縮器３５に接続されて、冷媒を循環させる冷媒配管である。なお、空調筐体３８の上部前面には、図２に示すように、送風口５０と送風ファン（図示せず）が配設されて蒸発器３７がこの送風口に接続された風洞（図示せず）内に配設され、また空調筐体３８の両側面や背面側に空気吸込口（図示せず）が形成されている。
【００１９】
また、ロータンク３１に洗浄水を給水する給水管４１がロータンク３１内の上部に配管され、かつそのロータンク３１内への給水口が止栓４２にて閉止されるとともに、その手前で上方に向けて分岐給水管４３が分岐されている。
【００２０】
空調ユニット３２内には、下端が分岐給水管４３に接続され、上端が手洗い手段３３の給水通路４５に接続される給水通路４４が配設されている。この給水通路４４には、図２（ａ）、（ｂ）に示すように、下端にカップリング４９ａを設けた給水管４９が配設され、そのカップリング４９ａを介してロータンク３１側の分岐給水管４３と接続され、この給水管４９の上端は手洗い手段３３の給水通路４５に嵌入接続されるように構成されている。なお、給水通路４４内に給水管４９を配設する代わりに、ロータンク３１上に空調ユニット３２を設置したとき、分岐給水管４３と連通し、空調ユニット３２上に手洗い手段３３を設置したときさらにその給水通路４５と連通するような適宜接続手段を給水通路４４に一体的に設けてもよい。
【００２１】
また、空調ユニット３２内には、手洗い手段３３の流出口４６に上端が接続される排水通路４７が配設されている。この排水通路４７の下端には、凝縮器３５に対して散水する散水手段４８が接続されている。
【００２２】
また、図２（ａ）に示すように、空調ユニット３２に、この空調ユニット３２に電源、制御用信号を送るための接続部５１が設けられており、ロータンク３１の上面に空調ユニット３２をその上に設置したときに接続部５１が離脱可能に接続される接続部５２が設けられている。
【００２３】
以上の構成によれば、ロータンク３１の給水管４１の給水口を止栓４２にて閉止し、ロータンク３１上に空調ユニット３２を設置し、分岐給水管４３に給水通路４４の下端を接続し、凝縮器３５をロータンク３１内に配置するとともに排水通路４７に散水手段４８を接続してロータンク３１内に挿入配置し、またその空調ユニット３２上に手洗い手段３３を配置するとともに、空調ユニット３２の給水通路４４の上端を手洗い手段３３の給水通路４５に接続し、流出口４６と排水通路４７の上端を接続することで、ロータンク方式のトイレ装置に空調手段４０及び手洗い手段３３を簡単に設置することができる。
【００２４】
また、空調手段４０が不必要な場合には、これを設置しなければ良いだけであり、ロータンク３１や空調手段４０や手洗い手段３３を規格化し、必要に応じて組み合わせることにより所要の機能を有するトイレ装置を構成できる。かくして、各仕様のトイレ装置間で規格を共通化することができ、コスト低下を図ることができる。
【００２５】
また、空調ユニット３２に手洗い手段３３に対する給水通路４４と手洗い手段３３からロータンク３１に給水する排水通路４７を設けているので、手洗い手段３３を設けるときに空調ユニット３２を通して配管する必要がなくなり、手洗い手段３３の設置作業も簡単である。
【００２６】
さらに、排水通路４７に散水手段４８を接続して手洗い手段３３から流出した水を凝縮器３５に散布するように構成しているので、ロータンク３１から洗浄水を排出した後でも、直ちに手洗い手段３３から流出した水が凝縮器３５に散布され、冷却作用が中断しないため、空調手段の作用を安定的に継続することができる。
【００２７】
また、空調ユニット３２に接続部５１を設け、ロータンク３１の上面に接続部５１が離脱可能に接続される接続部５２を設けているので、ロータンク３１上に空調ユニット３２をワンタッチで取付けるだけで、空調ユニット３２に対する電源や制御用信号を送ることができ、空調ユニット３２への電気配線等が不要となって空調ユニット３２の取付作業が極めて簡単になる。
【００２８】
上記実施形態では、凝縮器３５をロータンク３１内に配設した例を示したが、図３に示すように、凝縮器３５も空調ユニット３２内に配設し、空調ユニット３２に形成された手洗い手段３３に対する給水通路４４及び手洗い手段３３からロータンク３１への排水通路４７を通る水によって凝縮器３５を冷却するようにしてもよい。この場合、ロータンク３１への給水時以外は外気又は適当な蓄熱手段によって凝縮器３５を冷却し、給水時にそれらの熱を吸収するようにすることができ、あるいはロータンク３１への給水時のみ空調手段４０を作動させるようにしてもよい。
【００２９】
この実施形態ではロータンク３１内に凝縮器３５を配設しないので、手洗い手段３３を有するトイレ装置に空調手段４０を簡単に設置することができる。
【００３０】
【発明の効果】
本発明のトイレ装置によれば、以上の説明から明らかなように、ロータンクの上部に、空調手段の少なくとも凝縮器を除いてユニット化した空調ユニットを配置するとともに凝縮器をロータンク内に配置し、空調ユニットの上部に手洗い手段を配置したので、空調ユニットをロータンク上に設置し、凝縮器をロータンク内に配置することで簡単に空調手段を設けることができ、またその空調ユニット上に手洗い手段を配置することで手洗い手段を設けることができ、空調手段や手洗い手段を簡単に設けることができるとともに、設けないものと共通の規格化が可能で、コスト低下を図ることができる。
【００３１】
また、手洗い手段を設けるときに空調ユニットを通して配管する必要がなくなり、手洗い手段の設置作業を簡単にできる。
【００３２】
また、排水通路に手洗い手段から流出した水を凝縮器に散布する散水手段を接続すると、ロータンクから洗浄水を排出した後にも、直ちに手洗い手段から流出した水が凝縮器に散布されて冷却作用が中断せず、空調手段の作用を安定的に継続することができる。
【００３３】
また、凝縮器をロータンク内に配置するのに代えて空調ユニット内に内蔵させ、給水通路と排水通路を流れる水で凝縮器を冷却するようにすることもでき、手洗い手段を有するロータンクに空調手段を簡単に設置することができる。
【００３４】
また、空調ユニットに、この空調ユニットに電源、制御用信号を送るための接続部を設け、ロータンクの上面に空調ユニットをその上に設置したときに接続部が離脱可能に接続される接続部を設けると、ロータンク上に空調ユニットをワンタッチで取付けることができ、空調手段への電気配線等が不要となり、空調ユニットの取付作業が極めて簡単になる。また、これは空調ユニットの上に手洗い手段を配設しない場合にも同じ効果が得られる。
【図面の簡単な説明】
【図１】本発明のトイレ装置の一実施形態の概略構成図である。
【図２】同実施形態の構成を示し、（ａ）は分解斜視図、（ｂ）は縦断面図である。
【図３】本発明のトイレ装置の他の実施形態の要部の概略構成図である。
【図４】従来例のトイレ装置を一部破断して内部の配置構成を示した斜視図である。
【符号の説明】
１  便器
３１  ロータンク
３２  空調ユニット
３３  手洗い手段
３５  凝縮器
４０  空調手段
４４  給水通路
４７  排水通路
４８  散水手段
５１  接続部
５２  接続部
【図１】
0003850563.tif 000002
【図２】
0003850563.tif 000003
【図３】
0003850563.tif 000004
【図４】
0003850563.tif 000005